(57)【要約】【課題】図柄表示画面が大型化されても容易に適用でき、演出動作の斬新さ、遊技者へのインパクトを強めることのできる遊技盤面装飾部品を提供する。【解決手段】盤面に配置される図柄表示画面２の周囲を飾る装飾部品であって、固定装飾部品３と可動装飾部品４とを備える。固定装飾部品３には発光制御可能な電飾部５を設け、この固定装飾部品３よりも前面側に可動装飾部品４を配置する。また可動装飾部品４を、固定装飾部品３の電飾部５を覆う第１位置と、この第１位置で覆われている電飾部５を現出させる第２位置との間を移動可能とする。所定の演出時に、可動装飾部品４が移動可能であることのみならず、それまで隠れていた電飾部５を様々に発光させることも可能となり、図柄表示画面の大型化により可動装飾部品の移動量が少なくなっても演出効果を高めることが可能となる。【選択図】図２
2008113953.tif 000002
【特許請求の範囲】
【請求項１】
遊技盤面に配置される図柄表示画面の周囲を飾る装飾部品であって、
発光制御可能な電飾部を有する固定装飾部品と、この固定装飾部品の配置面よりも前面側の面に配置され、この固定装飾部品の前記電飾部を含む予め決められた隠蔽領域を覆う第１位置及びこの第１位置で覆われる前記隠蔽領域のうちの少なくとも前記電飾部を含む所定領域を現出させる第２位置相互間を移動可能な可動装飾部品とを具備することを特徴とする遊技盤面装飾部品。
【請求項２】
前記固定装飾部品は透光性を有する飾り部を備え、この透光性飾り部の後面側に、該透光性飾り部の面方向に複数の光源を配置してなる光源ユニットが設けられ、この光源ユニット及び前記透光性飾り部により前記電飾部が構成されていることを特徴とする請求項１に記載の遊技盤面装飾部品。
【請求項３】
前記可動装飾部品の、少なくとも前記第１位置にあるときの前記電飾部を覆う領域が透光性を有することを特徴とする請求項１又は２に記載の遊技盤面装飾部品。
【発明の詳細な説明】
【技術分野】
【０００１】
本発明は、パチンコ機等の遊技盤面を飾る装飾部品、特に遊技盤面のほぼ中央に配置される図柄表示画面の周囲を飾るセンタ飾りに好適な遊技盤面装飾部品に関するものである。
【背景技術】
【０００２】
パチンコ機の遊技盤面には、種々の装飾部品が取り付けられている。中でもセンタ飾りと称される遊技盤面装飾部品は、遊技盤面のほぼ中央に配置され、遊技中、最も注目される図柄表示装置の画面（図柄表示画面）を囲むように設けられており、これによる装飾効果は大きい。
そこでこの部分の遊技盤面装飾部品には、従来から種々の工夫がなされてきた。例えば特許文献１においては、複数の構成部品が組み合わされて一体化した形状及び複数の構成部品における少なくとも１つが遊技盤面に沿って移動され分割した形状に変形可能とされたユニット部品が開示されている。
【特許文献１】特開２００６−１８７３３０号公報
【発明の開示】
【発明が解決しようとする課題】
【０００３】
上記ユニット部品によれば、遊技盤面中央に設けた可動部の演出動作が斬新で、遊技者に強いインパクトを与えることができるという利点があるものの、最近の大型化傾向にある図柄表示画面に対しては適用が困難になってきた。上記ユニット部品は、可動部を遊技盤面に沿って移動させるだけの構成であり、図柄表示画面が大きくなると可動部の移動範囲が小さくなるからである。その結果、演出動作の斬新さ、遊技者へのインパクトの程度は弱まり、したがって従来、この点についての改善が要望されていた。
本発明の課題は、上記要望に鑑み、大型化された図柄表示画面に対しても容易に適用可能で、演出動作の斬新さ、遊技者へのインパクトを強めることのできる遊技盤面装飾部品を提供することにある。
【課題を解決するための手段】
【０００４】
上記課題を解決するための手段を以下に述べる。
各手段は、項に区分し、各項に番号を付し、必要に応じて他の項の番号を引用する形式で記載する。これは、本発明の理解を容易にするためであって、本明細書に記載の技術的特徴が以下の各項に記載のものに限定されるものではない。
以下の各手段のうち、（１）項が請求項１に、（２）項が請求項２に、（３）項が請求項３に、各々対応する。なお、各手段においては、必要に応じてその作用等についても述べる。
【０００５】
（１）遊技盤面に配置される図柄表示画面の周囲を飾る装飾部品であって、
発光制御可能な電飾部を有する固定装飾部品と、この固定装飾部品の配置面よりも前面側の面に配置され、この固定装飾部品の前記電飾部を含む予め決められた隠蔽領域を覆う第１位置及びこの第１位置で覆われる前記隠蔽領域のうちの少なくとも前記電飾部を含む所定領域を現出させる第２位置相互間を移動可能な可動装飾部品とを具備することを特徴とする遊技盤面装飾部品。
本発明の遊技盤面装飾部品は、特にパチンコ機等の遊技盤面のほぼ中央に配置される大型の図柄表示画面の周囲を飾る装飾部品、つまりセンタ飾りへの適用が好例である。しかし、基本的には大型の図柄表示画面の遊技盤面上の位置に制約はない。遊技盤面のいずれかの箇所に配置される大型の図柄表示画面の周囲を飾る装飾部品として用いることにより、所期の目的を達成（課題を解決）できる。
可動装飾部品の第１位置及び第２位置相互間の移動は、基本的には双方向に可能である。この移動は、図柄表示画面に表示される画像による所定の演出時に合わせて行われて、顕著な効果を発揮し得る。特に第１位置から第２位置への移動時、つまり可動装飾部品により覆われていた隠蔽領域中の電飾部を含む所定領域を現出させる移動において、その移動と共に電飾部が作動することにより、更に顕著な効果を発揮し得る。
電飾部は発光制御可能であって、この発光制御による点消灯や点滅が上記作動に含まれる。電飾部は、通常、複数の光源を備え、この複数の光源を適宜配列し、あるいは散在させ、その各々について発光制御することにより、多様な電飾演出が可能である。
【０００６】
（２）前記固定装飾部品は透光性を有する飾り部を備え、この透光性飾り部の後面側に、該透光性飾り部の面方向に複数の光源を配置してなる光源ユニットが設けられ、この光源ユニット及び前記透光性飾り部により前記電飾部が構成されていることを特徴とする（１）項に記載の遊技盤面装飾部品。
複数の光源は、配列あるいは散在され、上記発光制御によって多様な電飾演出が可能である。複数の光源には、豆球、ＬＥＤ等が用いられるが、固定装飾部品の透光性飾り部の後面側に配置されるので、輝度が高いことが望まれる。
【０００７】
（３）前記可動装飾部品の、少なくとも前記第１位置にあるときの前記電飾部を覆う領域が透光性を有することを特徴とする（１）項又は（２）項に記載の遊技盤面装飾部品。
複数の光源は、可動装飾部品が第１位置にあるときは、可動装飾部品の透光性領域の後面側、（２）項に記載の遊技盤面装飾部品においては、可動装飾部品の透光性領域に加えて、固定装飾部品の透光性飾り部の後面側に配置されるので、更に高輝度の光源であることが好ましい。
（４）前記固定装飾部品の電飾部、並びに、前記固定装飾部品及び可動装飾部品の飾り部には、共通する主題のデザインが施されていることを特徴とする（１）項、（２）項又は（３）に記載の遊技盤面装飾部品。
共通する主題とは、施されたデザインが表す称呼、外観又は観念等が共通することを指す。例えば、桃太郎侍の文字、桃の実、桃の花、般若の面（桃太郎侍がつける面）が固定装飾部品の電飾部や可動装飾部品の飾り部に適宜施すことが該当する。
共通する主題のデザインが、固定装飾部品の電飾部及び飾り部、並びに、第１位置及び第２位置相互間を移動可能な可動装飾部品の飾り部に施されているので、広い領域においてダイナミックに主題が強調され、大なる演出効果が得られる。
【発明の効果】
【０００８】
（１）項に記載の発明では、固定装飾部品は発光制御可能な電飾部を有している。そして可動装飾部品は、固定装飾部品の上記電飾部を含む隠蔽領域を覆う第１位置、及びこの第１位置で覆われる上記隠蔽領域のうちの電飾部を含む領域を現出させる第２位置相互間を移動可能である。
したがって、可動装飾部品の移動時に、それまで覆われていた隠蔽領域の電飾部を発光制御でき、これにより隠蔽領域の電飾部を様々に発光可能である。つまり、従来のユニット部品のような単なる可動部の移動のみでなく、可動装飾部品の移動に合わせて現出した隠蔽領域において、様々に制御される発光も行え、全体的にダイナミックで動作範囲をより大きく見せ得る。したがって、この（１）項に記載の発明によれば、図柄表示画面の大型化に対しても容易に適用可能で、また、演出動作の斬新さ、遊技者へのインパクトを強められる遊技盤面装飾部品を提供できる。
【０００９】
（２）項に記載の発明では、光源、その電気配線等の取付けを要する電飾部の部品を、固定装飾部品に直接取り付けるのではなく、これとは別個に光源ユニット、例えば電飾基板として構成する。そしてこの光源ユニットと、その前面側に位置する固定装飾部品の透光性飾り部とによって電飾部を構成した。
これによれば、ユニット基板への光源、電気配線等の取付けが済んでから、光源ユニットを固定装飾部品に組み付ければよいので、電飾部を構成する光源、電気配線等の取付けがし易くなる。また、このように電飾部を分離構成することにより、各々の設計の自由度を高めることができる。
【００１０】
（３）項に記載の発明によれば、可動装飾部品が第１位置にあるときに、固定装飾部品の電飾部による電飾効果を可動装飾部品にも及ぼすように、つまり、電飾部を覆う可動装飾部品の透光性領域においても、間接的ではあるが電飾効果をもたせ得る。
可動装飾部品に電飾を施すことは難しい。しかし、固定装飾部品の電飾部を覆う領域が透光性を有していれば、固定装飾部品の電飾部からの光がその固定装飾部品の透光性領域を通して遊技盤面前面側に透過し、したがって、固定装飾部品の電飾部の発光制御で固定装飾部品の透光性領域において電飾効果を発揮できるようになる。
【発明を実施するための最良の形態】
【００１１】
以下、本発明の実施の形態を図面に基づき説明する。なお、各図間において、同一符号は同一又は相当部分を示す。
図１及び図２は、各々本発明による遊技盤面装飾部品の一実施形態を示す正面図で、図１は基本状態、図２は演出状態を示している。
本発明による遊技盤面装飾部品（以下、装飾部材と略記する。）１は、遊技盤面に配置される図柄表示画面（図柄表示装置の画面）２の周囲を飾る装飾部品であり、固定装飾部品３と可動装飾部品４とを備えてなる。
なお、図１，図２においては、他の箇所との境界を明確にするため、可動装飾部品４の輪郭を太線で強調して描いたが、可動装飾部品４の外周に実際に太線が描かれているとの限定をするものではない。
【００１２】
本実施形態において、上記固定装飾部品３は、図３に取り出して示すように、図柄表示画面２の全周を囲むほぼ四辺形の枠状に形成され、発光制御可能な電飾部５をその四辺形の上辺側部分、下辺側部分及び右辺側部分に有する。なお本実施形態では、下辺側部分及び右辺側部分の各電飾部の説明は省略し、上辺側部分の電飾部５についてのみ説明する。
【００１３】
電飾部５は、その全ての構成を固定装飾部品３に備えるようにしてもよいが、ここでは、固定装飾部品３に備えられた透光性を有する飾り部６と、この透光性飾り部６の後面側に、同透光性飾り部６の面方向に複数の光源（図示せず）を配置してなる光源ユニット７とから構成されている。
上記光源には例えばＬＥＤが用いられ、光源ユニット７は透光性飾り部６の面方向、特に図中左右方向にその複数のＬＥＤ（図示せず）を散在させてなる。
【００１４】
図示例では、固定装飾部品３の上辺側部分はそのほぼ全域が透光性飾り部６を形成している。またこの透光性飾り部６には、淡い桃色に着色され桃の花を模した浮彫り（桃の花浮彫り）８が施されている。上記複数のＬＥＤは、この桃の花浮彫り８位置に合わせて配置されている。固定装飾部品３の上辺側部分の上部右側には桃の実を模した浮彫り（桃の実浮彫り）９も施されている。
固定装飾部品３の右辺側部分には般若面形状の装飾部材（般若面装飾部材）１０が取り付けられている。この般若面装飾部材１０の前方（図示面に対して手前方向）に突出する部分の最先端は固定装飾部品３の配置面位置より前方に突出しないか、しても僅かとなるように設定されている。すなわち、固定装飾部品３の配置面よりも前面側の面に配置される可動装飾部品４の後述移動時に、般若面装飾部材１０がその移動を妨害しないように設定されている。
【００１５】
上記可動装飾部品４は、図４に取り出して示すように、図柄表示画面２の上辺側部分から右辺側部分に亘る半周を囲むほぼ¬状（かぎ状）に形成され、少なくとも上辺側部分は全域が透光性を有し、その前面には飾り部１１を有する。この飾り部１１には、図示するように「桃太郎侍」という装飾文字からなる浮彫り（桃太郎侍文字浮彫り）１２が施されている。可動装飾部品４の上辺側部分全域が透光性を有するので、光源ユニット７の光源からの光りは、固定装飾部品３の透光性飾り部６及び可動装飾部品４の上辺側部分（透光性領域）を透過して装飾部品１の前面側から見ることができる。つまり、可動装飾部品４の電飾部５を覆う上辺側部分（透光性領域）においても間接的ではあるが電飾効果を発揮できる。
【００１６】
この可動装飾部品４は、固定装飾部品３の配置面よりも前面側の面に配置され、図１に示す第１位置（基本状態の位置）と図２に示す第２位置（演出状態の位置）との間を双方向に移動可能である。
図１，図２から分かるように、第１位置は、固定装飾部品３の電飾部５のほぼ全域に亘って設定された隠蔽領域１３を覆う位置である。また第２位置は、第１位置で覆われる隠蔽領域１３のうちの少なくとも電飾部５を含む所定領域、ここでは桃の花浮彫り８部分の上半分の領域、を現出させる位置である。
【００１７】
第１位置と第２位置との間を双方向に移動させる機構（可動装飾部品４の駆動機構）は、リンクや歯車等を用いた種々の機構のうち、どの機構を用いてもよい。本実施形態では、全体を図示しないがリンク機構が用いられている。図３中の３１は、リンク機構の出力レバーを示している。この出力レバー３１は支点３２において軸支され、その作用端３３及び図示しない他の出力レバーの作用端が可動装飾部品４に連結されており、可動装飾部品４は、上記出力レバー３１等の正転、逆転により、第１位置と第２位置との間を双方向に移動する。
【００１８】
なお、本実施形態では、図１，図２を比較対照して分かるように、固定装飾部品３と一体をなす装飾部材１４が可動装飾部品４の前面側に位置しているが、この装飾部材１４は、本発明における固定装飾部品３には含まれない。このような装飾部材１４は、固定装飾部品３や可動装飾部品４により装飾しきれなかった場合の補助装飾、あるいは可動装飾部品４の駆動機構の目隠し等に用いて有効である。
【００１９】
図５は、上述した装飾部品１がセンタ飾りとして用いられたパチンコ機の遊技盤面の一例を示す図である。
この図に示すように、遊技盤面（以下、盤面と略記する。）５１には、レール５２が取り付けられており、このレール５２の内側には、遊技領域５３が形成されている。レール５２は、図示しないハンドルの操作により発射された遊技球（図示せず）を盤面５１の左側上部から遊技領域５３へ送り込むように案内する。
【００２０】
盤面５１には、レール５２の他にも種々の盤面構成部品が設けられている。
すなわち、盤面５１のほぼ中央には液晶表示器等からなる図柄表示装置の画面（図柄表示画面）２が配置されている。そして、その図柄表示画面２の周囲には、図１，図２示す装飾部品１がセンタ飾りとして配置され、図柄表示画面２の周囲を装飾している。
図柄表示画面２の下方には始動入賞口５４が設けられ、また、始動入賞口５４の下方には大入賞口５５が設けられている。その他、いくつかの一般入賞口５６が盤面１上に設けられている。
上記大入賞口５５は、開放時に、他の入賞口５４，５６よりも入賞が著しく容易な形態となるように、ここでは入賞開口が著しく大きくなるように構成されている。
【００２１】
盤面５１のレール５２内側の左サイドには、サイドランプ５７が設けられている。ゲート５８や風車５９も適所に設けられている。
レール５２内側の最下部には、入賞しなかった遊技球を回収するアウト口６０が設けられている。
更に、上記各部品５４〜５９やアウト口６０を避けた適宜箇所には、多数の遊技釘（符号省略）が打ち込まれている。なお、盤面５１は透明ガラス板（図示せず）により覆われ、遊技球が遊技領域５３から離脱することはない。
【００２２】
上記図柄表示画面２の表示領域は、例えば横方向に左、中、右、３つの表示領域ＬＡ，ＣＡ，ＲＡに分けられている。
これら３つの表示領域ＬＡ，ＣＡ，ＲＡには各々図柄Ｌ，Ｃ，Ｒが表示されるが、表示される図柄Ｌ，Ｃ，Ｒは変動可能であり、また、変動開始すると所定時間後に停止するようになされている。このときの表示図柄Ｌ，Ｃ，Ｒは、ここでは３つの表示領域ＬＡ，ＣＡ，ＲＡ共に０〜９までの数字であり、変動時にはこの数字０〜９が繰返し表示される。表示図柄Ｌ，Ｃ，Ｒの変動は、始動入賞口６への遊技球の入賞により、つまり後述始動入賞球センサによる始動入賞球の検出に応じて行われる、大当りか外れかの抽選と共に、又は抽選直後に開始される。
【００２３】
以上のような盤面５１構成において、センタ飾り１は、その可動装飾部品４の移動が図柄表示画面２に表示される図柄や画像による所定の演出時に合わせて行われ、また、可動装飾部品４の第２位置への移動時に現出される電飾部５（図２参照）が発光制御されて、斬新な演出を行い、遊技者に強いインパクトを与え得る。
またこのセンタ飾り１は、可動装飾部品４の上辺側部分の全域が透光性を有するので、可動装飾部品４が固定装飾部品３の上記電飾部５を覆う位置にあるときにも、電飾部５による電飾効果を可動装飾部品４前面においても発揮させ得る。
浮彫り８（図２参照）、浮彫り９，１２は上記電飾部５の非発光時にも装飾効果を発揮する。
【００２４】
図６は、図５に示す盤面を有するパチンコ機の要部を示すブロック図である。
図から分かるように、このパチンコ機は、入賞球センサ６１…、主制御装置６２及び遊技に係わる種々の演出動作等を制御する演出動作制御装置、ここでは図柄制御装置６３、効果音制御装置６４、ランプ制御装置６５及び可動装飾部品制御装置６６を備えて構成されている。また、大入賞口駆動ソレノイド６７及び賞球払出制御装置６８も備えている。
【００２５】
上記入賞球センサ６１は、入賞球を検出するスイッチからなり、図５に示す盤面５１に設けられた入賞口５４〜５６に一対一対応で設けられている。このうち６１ａは、始動入賞口５４への入賞球を検出する始動入賞球センサである。
【００２６】
主制御装置６２は、上記制御装置６３〜６６，６８、大入賞口駆動ソレノイド６７等（パチンコ機全般）を制御する装置であり、入力ポート６２ａ、ＣＰＵ６２ｂ、出力ポート６２ｃ、ＲＯＭ６２ｄ及びＲＡＭ６２ｅ等を備えてなる。
ＲＯＭ６２ｄには、ＣＰＵ６２ｂが読み込んで実行するパチンコ遊技のプログラム及びこのプログラムの実行時に必要なデータ等が格納されている。ＲＡＭ６２ｅは、上記プログラムの実行時の作業領域等に使用される。
【００２７】
図６に示すように、主制御装置６２には、入賞球センサ６１…（始動入賞球センサ６１ａを含む。）が接続されており、主制御装置６２の入力ポート６２ａは、それら入賞球センサ６１…からの信号を受け、ＣＰＵ６２ｂに与える。
ＣＰＵ６２ｂは、入賞球を検出すると、出力ポート６２ｃを介して図柄制御装置６３、効果音制御装置６４、ランプ制御装置６５や賞球払出制御装置６８等に制御コマンドを出力し、あるいは大入賞口駆動ソレノイド６７を駆動させ、入賞に対応した遊技処理を行う。
【００２８】
またＣＰＵ６２ｂは、プログラムによって予め決められたイベントの発生時（図柄表示画面２に表示される図柄や画像による所定の演出時）、可動装飾部品制御装置６６に制御コマンドを出力し、駆動機構６６ａを制御して可動装飾部品４を上述した第１位置から第２位置に移動させる。
このときＣＰＵ６２ｂは、ランプ制御装置６５にも制御コマンドを出力し、図２示す電飾部５を発光制御する。ここでは、電飾部５を構成する複数のＬＥＤ（図示せず）を、図２において桃の花浮彫り８部分の左端から右端向けて繰返し流れるように点灯制御する。ＣＰＵ６２ｂは、同時に図柄制御装置６３及び効果音制御装置６４にも制御コマンドを出力し、上記イベントの発生に伴う画像や効果音の出力も行わせる。
上記イベントの発生時とは、いわゆるリーチに係る予告演出時あるいは大当り予告演出時や、後述する大当り抽選における大当り時等が例として挙げられるが、そのうちのいずれにするかは任意である。なお、可動装飾部品４は適時第２位置から第１位置に復帰移動される。
【００２９】
上記図柄制御装置６３は、遊技の演出、進行等のために種々の図柄（画像）を図柄表示装置６３ａの画面２に表示させる装置である。また、効果音制御装置６４は、同じく遊技の演出、進行等のために種々の効果音（合成音声を含む。）をスピーカ６４ａから発生させる装置である。更にランプ制御装置６５は、同じく遊技の演出、進行等のために図５に示す盤面５１上のサイドランプ５７、電飾部５（図２参照）を点消灯させる装置である。
可動装飾部品制御装置６６は、上記のように可動装飾部品４の駆動機構６６ａを制御して可動装飾部品４を移動させる装置である。
大入賞口駆動ソレノイド６７は、大当り動作時に駆動して大入賞口５５を開放させるソレノイドである。また賞球払出制御装置６８は、入賞に対応した賞球払出処理を行う装置である。
【００３０】
ここで上記主制御装置６２は、遊技動作中、大当り決定乱数を所定の周期でカウンタ（図示せず）から生成させ、図５に示す始動入賞口５４への遊技球入賞時、つまり始動入賞球センサ６１ａが始動入賞球を検出した時に生成された上記乱数の値（乱数値）を取得し、予め設定されている大当り値と比較（大当り抽選）する。そして主制御装置６２は、その乱数値と大当り値とが一致する場合に大当りと判定し、以下に述べる大当り処理をする。
【００３１】
具体的には、図５に示す始動入賞口５４に遊技球が入賞すると、主制御装置６２は、始動入賞球センサ６１ａからの信号を受けて、上記大当り抽選をする。同時に、入賞に対する賞球の払出しを行わせるための賞球払出信号を出力すると共に、図柄変動開始信号を生成し、図柄制御装置６３を介して図柄表示装置６３ａを制御し、その画面２の左、中、右表示領域ＬＡ，ＣＡ，ＲＡの各々に表示されている図柄Ｌ，Ｃ，Ｒの変動を開始させる。
【００３２】
この３つの図柄Ｌ，Ｃ，Ｒは、最終的に停止するが、上記大当り抽選結果が大当りであれば、その停止時の図柄Ｌ，Ｃ，Ｒが所定の種類の図柄で揃う大当り図柄表示を行う。ここでは、図柄Ｌ，Ｃ，Ｒとして０〜９までの数字が用いられ、それらが種々の形態で変動し、停止時の図柄Ｌ，Ｃ，Ｒが所定の数字、例えば「７、７、７」で揃う大当り図柄表示を行う（図５参照）。
図柄表示装置６３ａが大当り図柄表示を行う（大当りになる）と大入賞口５５が開放し、より多くの入賞、賞球獲得が実現される。
【００３３】
大当り処理は、図６に示す大入賞口駆動ソレノイド６７の駆動による上記大入賞口５５の開放動作の他、図柄表示画面２、スピーカ６４ａ、サイドランプ５７、電飾部５等による種々の演出動作（画像表示、効果音発生、ランプ，光源の点消灯／点滅動作）や賞球払出制御装置６８による賞球払出動作を含む。
【００３４】
以上のようなパチンコ機において、図５に示すセンタ飾り１は、上記イベントの発生に合わせてその可動装飾部品４が移動され、かつこの移動によって、それまで隠されていた電飾部５が現われ、その発光が様々に制御されて斬新な演出が行われ、遊技者に強いインパクトを与える。
【図面の簡単な説明】
【００３５】
【図１】本発明による遊技盤面装飾部品の一実施形態（基本状態）を示す正面図である。
【図２】同じく遊技盤面装飾部品の一実施形態（演出状態）を示す正面図である。
【図３】同上遊技盤面装飾部品中の固定装飾部品を取り出して示す正面図である。
【図４】同じく可動装飾部品を取り出して示す正面図である。
【図５】本発明が適用されたセンタ飾りが取り付けられたパチンコ機の遊技盤面の一例を示す図である。
【図６】図５に示す盤面を有するパチンコ機の要部を示すブロック図である。
【符号の説明】
【００３６】
１：遊技盤面装飾部品（センタ飾り）、２：図柄表示画面、３：固定装飾部品、４：可動装飾部品、５：電飾部、６：透光性飾り部、７：光源ユニット、１１：飾り部、１３：隠蔽領域、１４：装飾部材、５１：遊技盤面。
【図１】
2008113953.tif 000003
【図２】
2008113953.tif 000004
【図３】
2008113953.tif 000005
【図４】
2008113953.tif 000006
【図５】
2008113953.tif 000007
【図６】
2008113953.tif 000008